(57)【要約】【課題】封止シール等のシールの接着力を安定させる。【解決手段】封止シール５は、写真用ロールフイルムの外周に巻き付けられ、一端に形成された熱接着剤層８ａを遮光紙の表面に、他端の熱接着剤層８ｂを封止シール５の表面に接着することで、写真フイルム及び遮光紙の巻き緩みを防止する。封止シール５の熱接着剤層８ａ，８ｂは、多数の小さな熱接着剤のドット１２から構成されている。熱接着剤のドット１２は、グラビア塗工によって塗工されるが、一つのドット１２は一つのセルによって形成されるため、各ドット１２の大きさ及び塗工厚は均一であり、接着力も等しくなる。そのため、封止シール５の接着力が安定する。【選択図】        図２
2005015736.tif 000002
【特許請求の範囲】
【請求項１】
支持体の少なくとも一方の面に、接着剤が塗工された塗工エリアを有するシールにおいて、
前記塗工エリア内に、接着剤をドット状に塗工したことを特徴とするシール。
【請求項２】
前記ドット状に塗工された接着剤の総塗工面積は、塗工エリアの面積の５５〜９３％の範囲内であることを特徴とする請求項１記載のシール。
【請求項３】
前記接着剤のドットは、０．５ｍｍ２  以上の面積を有することを特徴とする請求項１又は２記載のシール。
【請求項４】
前記接着剤のドットの塗工厚みは、５μｍ以上であることを特徴とする請求項１乃至３いずれか記載のシール。
【請求項５】
前記接着剤は、熱接着剤であることを特徴とする請求項１乃至４いずれか記載のシール。
【請求項６】
支持体の少なくとも一方の面に、接着剤がドット状に塗工されたシールの製造方法において、
前記接着剤の支持体への塗工に、グラビア塗工を用いたことを特徴とするシールの製造方法。
【請求項７】
前記接着剤の一つのドットは、グラビア塗工版の一つのセルによって形成されることを特徴とする請求項６記載のシールの製造方法。
【請求項８】
前記グラビア塗工において、５番のザーンカップで１１〜１４秒の粘度を有する接着剤を用いたことを特徴とする請求項６又は７記載のシールの製造方法。
【請求項９】
前記接着剤は熱接着剤であり、塗工時に前記粘度に調整されることを特徴とする請求項８記載のシールの製造方法。
【請求項１０】
前記グラビア塗工において、セルの幅寸法の１／１０以上の幅寸法を有する土手が設けられたグラビア塗工版を用いたことを特徴とする請求項６乃至９いずれか記載のシールの製造方法。
【請求項１１】
スプールに長尺の写真フイルムと遮光紙とが巻き付けられ、その外周に封止シールが貼付されて巻き止められる写真用ロールフイルムにおいて、
前記封止シールとして、請求項１乃至５いずれか記載のシール、又は請求項６乃至１０いずれか記載の製造方法で製造されたシールを用いたことを特徴とする写真用ロールフイルムの封止シール。
【発明の詳細な説明】
【０００１】
【発明の属する技術分野】
本発明は、支持体に接着剤が塗工されたシール及びその製造方法と、写真用ロールフイルムの封止シールとに関するものである。
【０００２】
【従来の技術】
写真用のロールフイルムには、一般にブローニーフイルムと呼ばれるものがある。このブローニーフイルムは、帯状の写真フイルムと、この写真フイルムよりもわずかに幅の広い遮光紙と、プラスチック製のスプールとからなる。写真フイルムと遮光紙は、最外周に遮光紙が配置されるようにスプールに巻き付けられる。遮光紙の外周には、巻き緩みが生じないように封止シールが貼付される。
【０００３】
封止シールは、ロールフイルムの外周長より長い長さを有する帯状の支持体と、この支持体の一方の面の両側に設けられた接着剤層とからなる。封止シールは、一端の接着剤層が遮光紙の端部に接着された後に、他端がロールフイルムの外周に巻き付けられ、この他端の接着剤層が封止シールの支持体自身の背面に接着されて写真フイルムと遮光紙とを封止する。
【０００４】
封止シールのロールフイルム外周への貼着は、写真フイルムと遮光紙とがスプールに巻き付けられた後に行なわれる。そのため、封止シールに強い圧力が加えられると写真フイルムに圧力被りが発生するので、感圧タイプの接着剤を使用することは可能であるが、推奨できない。また、封止シールによって封止されたロールフイルムは、遮光性と防湿性とを備えた包装袋に収納されるが、接着剤の種類によっては、密封された包装袋内で写真性に悪影響を及ぼすものがある。更に、常に粘着力を有する接着剤は、封止テープの取り扱いを難しくし、貼付時に支持体の下からはみ出してしまうことがある。これらの事情から、常態では粘着性がなく、圧力を加えなくても接着剤を活性化させることができ、接着後に写真性に悪影響を与えるおそれのない熱接着剤が封止シールの接着剤層に使用されている。
【０００５】
封止シールの熱接着剤は、印刷、例えば、特許文献１に記載されているようなグラビア塗工によって支持体上に塗工されている。グラビア塗工に用いられる熱接着剤は、溶剤で溶解されて流動性が付与され、グラビア塗工版によって支持体の原紙に塗工される。周知のように、グラビア塗工に使用されるグラビア塗工版には、熱接着剤を塗工版上に保持するために、多数の凹状のセルが形成されている。そして。このセル内の熱接着剤が支持体に転写されると、各セルの熱接着剤が支持体上で均一に広がり、隣接するセルの接着剤と結合して、全体に均一な厚みの熱接着剤層が形成される。
【０００６】
【特許文献１】
特開平１０−０８０６６０号公報
【０００７】
【発明が解決しようとする課題】
しかしながら、グラビア塗工では、レベリング時に熱接着剤に流れが生じてしまい、熱接着剤が均一に広がらず、不特定のセルの熱接着剤同士が結合し、熱接着剤層の厚みに凹凸が生じることがある。この現象は、泳ぎと呼ばれる塗工面不良の一種であるが、熱接着剤層において泳ぎが発生すると、封止シールの接着強度が不均一になってしまい、接着力の弱い部分から封止シールが剥がれしまうことがある。
【０００８】
本発明は、上記問題点を解決するためのもので、封止シール等のシールの接着力を安定させることを目的とする。
【０００９】
【課題を解決するための手段】
上記問題点を解決するために、本発明のシールは、支持体の塗工エリア内に、接着剤をドット状に塗工したものである。これによれば、接着剤の各ドットの接着力が均一になるため、シール全体としての接着力を安定化させることができる。また、接着剤の好ましい塗工面積は、塗工エリアの面積の５５〜９３％の範囲内としたので、接着剤を全面に塗工した場合と比較しても接着力が弱くなることはない。更に、接着剤のドットの好ましい面積を０．５ｍｍ２  以上とし、好ましい塗工厚みを５μｍ以上としたので、各ドットの接着力が弱すぎることはない。
【００１０】
また、本発明のシールの製造方法では、接着剤のドット状の塗工にグラビア塗工を用いたものである。これにより、簡単に、多数の接着剤のドットを支持体上に形成することができる。また、接着剤の一つのドットをグラビア塗工版の一つのセルで形成するようにしたので、各ドットの面積及び塗工厚み、及び接着力を均一にすることができる。更に、グラビア塗工において、５番のザーンカップで１１〜１４秒の粘度を有する接着剤を用いたものである。これによれば、接着剤の粘度が比較的高いため、転写後の接着剤が流れて各ドットがつながることはない。また、セルの幅寸法の１／１０以上の幅寸法を有する土手が設けられたグラビア塗工版を用いたので、接着剤が幅の広い土手の上を流れて隣接するドットとつながることはない。
【００１１】
更に、上記シールや、上記製造方法で製造されたシールを写真用ロールフイルムの封止シールに用いたものである。これによれば、封止シールの接着力が安定するため、確実に写真フイルム及び遮光紙の巻き緩みを防止することができる。
【００１２】
【発明の実施の形態】
図１は、写真用ロールフイルムの外観形状を示す斜視図である。写真用ロールフイルム２は、巻軸３ａと両端のフランジ３ｂとが一体に形成されたスプール３と、このスプール３の巻軸３ａに巻き付けられる帯状の写真フイルムと、写真フイルムの外周に巻き付けられて遮光する帯状の遮光紙４と、遮光紙４の外周に巻き付けられて両端が遮光紙４に接着される帯状の封止シール５とからなる。
【００１３】
図２は、封止シール５の展開図である。封止シール５は、例えば紙材等で形成された帯状の支持体７と、この支持体７の一方の面の両側に設けられた熱接着剤層８ａ，８ｂとからなる。熱接着剤層８ｂの外側には、遮光紙４の外周から封止シール５を剥がし取る際に用いられる耳部７ｃが設けられている。熱接着剤は、常温では接着力を有しないが、所定温度に加熱されると活性化して接着力を発揮するため、接着するまでの取り扱い性がよい。
【００１４】
封止シール５は、その一端の熱接着剤層８ａがスプール３に巻かれた遮光紙４の端部に重ねられ、ヒーター等で１２０〜１４０°Ｃに加熱されて遮光紙に接着される。その後、封止シール５の自由な側の端部が遮光紙４の外周に巻き付けられ、他端の熱接着剤層８ｂが封止シール５の支持体自身の背面に重ねられ、同様に加熱・接着される。これにより、遮光紙４の巻き緩みが防止される。なお、接着の際の熱接着剤層の加熱は、短時間で完了するため、写真フイルムに熱被りが生じることはない。
【００１５】
封止シール５の熱接着剤層８ａ，８ｂは、多数の熱接着剤のドット１２から構成されている。そのため、図３に示すように、写真用ロールフイルム２の外周に貼付された封止シール５は、熱接着剤の各ドット１２によって遮光紙４の外周に接着される。
【００１６】
上記封止シール５の熱接着剤層８ａ，８ｂは、図４に示すグラビア塗工装置１５によって形成される。グラビア塗工装置１５は、封止シール５の支持体７の原材料となる原紙１６の上に熱接着剤を転写するグラビア塗工版１７と、このグラビア塗工版１７との間に原紙１６を挟み込むバックアップローラ１８と、熱接着剤溶液１９が貯留される塗工液パン２０と、グラビア塗工版１７の外周面から余分な熱接着剤溶液１９を掻き落とすドクターブレード２１とからなる。
【００１７】
支持体７の原紙１６は、幅の広い長尺の紙材からなり、ロール状に巻かれた状態でグラビア塗工装置１５にセットされる。原紙１６は、ロールから引き出されてグラビア塗工版１７とバックアップローラ１８との間を通され、図示しない巻き取り用のローラにその先端が係止される。そして、巻取り用ローラが巻き取り方向に回転することにより、原紙１６は図中の矢印方向に搬送される。また、詳しくは図示しないが、バックアップローラ１８と巻取り用ローラとの間には、塗工された熱接着剤溶液１９を乾燥させる乾燥装置が設置されている。
【００１８】
ローラ形状のグラビア塗工版１７は鉄で形成されており、その外周面には多数のセル２５と土手２６とが腐食法によって形成されている。また、セル２５と土手２６の上にはクロムメッキが施されている。
【００１９】
図５は、グラビア塗工版１７のセル２５及び土手２６の部分的展開図であり、横軸がグラビア塗工版１７の回転軸方向、縦軸がグラビア塗工版１７の回転方向を示している。セル２５は、一辺の寸法Ｓｗが、例えば１ｍｍとされた正方形状をしている。グラビア塗工版１７の断面図である図６に示すように、セル２５の深さＳｄは、例えば２００μｍとなっている。各セル２５の間の隙間を規定する土手２６の幅寸法Ｂｗは、セル２５の幅寸法Ｓｗのおよそ１／５となる、例えば０．２ｍｍとされている。セル２５は、一般的なグラビア印刷のセルと同様に、グラビア塗工版１７の回転方向に対して角度θ、例えば４５°の角度で傾斜して配列されている。
【００２０】
上記グラビア塗工版１７は、図示しないモータによって図中時計方向に回転される。グラビア塗工版１７の下部は塗工液パン２０内の熱接着剤溶液１９に浸漬されている。そのため、グラビア塗工版１７の回転によって、セル２５内に熱接着剤溶液１９が満たされる。ドクターブレード２１は、周知のように先端がグラビア塗工版１７の外周面に接触しており、グラビア塗工版１７の土手２６の上に付着した余分な熱接着剤溶液１９を掻き落とす。
【００２１】
バックアップローラ１８は、回転自在とされており、詳しくは図示しないが、バネ等によってグラビア塗工版１７に圧接する方向に向けて付勢されている。バックアップローラ１８は、原紙１６の搬送及びグラビア塗工版１７の回転に従動して回転し、原紙１６をグラビア塗工版１７に押し付ける働きをする。なお、グラビア塗工版１７とバックアップローラ１８は、幅の広い原紙１６に対して、同時に複数列のライン状の熱接着剤層を塗工する。また、ドクターブレード２１もグラビア塗工版１７のセル２５に対応して設置されている。
【００２２】
熱接着剤溶液１９は、熱接着剤を溶剤で溶解して流動性が調整されたものである。熱接着剤としては、例えばＥＣＥ−２（商品名，富士化成工業株式会社製）等のホットラッカー接着剤が用いられる。また、溶剤としては、例えばトルエン等を用いることができる。熱接着剤溶液１９は、原紙１６上に転写した後に流れが生じて、各セル２５から転写された熱接着剤のドット１２同士がつながらないようにするため、比較的粘度が高くなるように調整される。
【００２３】
熱接着剤溶液１９の最適な粘度を得るために、各種粘度の熱接着剤溶液１９でドット１２を塗工する実験を行なった。その結果、ザーンカップ測定法において、熱接着剤溶液１９を５０°Ｃに加熱した状態で、５番のザーンカップで１１〜１４秒となる粘度が最も適していることがわかった。この粘度の熱接着剤溶液１９では、熱接着剤のドット１２がつながることなく塗工することができる。なお、ザーンカップ測定法による粘度が１０秒の熱接着剤溶液１９では、塗工後に熱接着剤のドット１２が流れて隣接するドット１２につながってしまう。また、粘度が１５秒の熱接着剤溶液１９では、塗工時に糸曳きが生じてしまい、ドット１２の転写パターンが乱れてしまう。
【００２４】
上記グラビア塗工装置１５は、次のように動作する。原紙１６の矢印方向への搬送と同時に、グラビア塗工版１７が矢印方向に回転を開始する。グラビア塗工版１７の回転中に、塗工液パン２０内の熱接着剤溶液１９が外周面のセル２５内に充填され、土手２６上に付着した余分な熱接着剤溶液１９はドクターブレード２１によって掻き落とされる。このグラビア塗工時の熱接着剤溶液１９は、例えば５０°Ｃ程度まで加熱される。原紙１６とグラビア塗工版１７とは、バックアップローラ１８の押圧によって圧接し、セル２５内の熱接着剤溶液１９が原紙１６上に転写される。
【００２５】
原紙１６に転写されたセル２５内の熱接着剤溶液１９は、粘度が比較的高くなるように調整されているため流れてしまうことがない。また、熱接着剤溶液１９が流れてしまったとしても、グラビア塗工版１７の土手２６が、セル２５の幅寸法の１／１０以上となるような広い幅寸法を有しているため、熱接着剤溶液１９のドット１２同士がつながってしまうことはない。熱接着剤溶液１９が塗工された原紙１６は、前述の乾燥装置によって熱接着剤溶液１９が乾燥され、巻取り用ローラに巻き取られる。
【００２６】
図７（Ａ）は、グラビア塗工装置１５によってライン状の熱接着剤層２９が形成された原紙１６の平面図である。グラビア塗工装置１５を通過した原紙１６には、複数列のライン状の熱接着剤層２９が形成されており、同図（Ｃ）に示すように、各列のライン状熱接着剤層２９は、多数の熱接着剤のドット１２から形成されている。この原紙１６は、同図（Ｂ）に示すように、横方向と縦方向とにおいて、１点鎖線で示す一定幅の間隔の裁断位置で裁断される。これにより、ハッチングで示す範囲のように、両側に熱接着剤層８ａ，８ｂ、一端に耳部７ｃが形成された１枚の封止シール５が完成する。
【００２７】
図２に示すように、完成した封止シール５は、支持体７の両側に設けられた塗工エリア７ａ，７ｂ内に、熱接着剤のドット１２からなる熱接着剤層８ａ，８ｂが形成されている。各ドット１２は、グラビア塗工版１７のセル２５の形状に合わせて、一辺Ｄｗが１ｍｍの正方形状であり、０．５ｍｍ２  以上の面積を有している。また、封止シール５の断面図である図８に示すように、各ドット１２の塗工厚みＤｈは、５μｍ以上となる。そのため、各ドット１２のそれぞれから充分な接着力を得ることができる。更に、ドット１２の間の隙間Ｃｗは、土手２６の幅に合わせて０．２ｍｍとなるので、接着時に隣接するドット１２同士がつながって接着力が不均一になることはない。
【００２８】
また、例えば、封止シール５の幅寸法Ｆｗを１３ｍｍ、塗工エリア７ｂの幅寸法Ｔｗを７ｍｍとしたとき、この塗工エリア７ｂの面積に対する熱接着剤のドット１２の総塗工面積の割合はおよそ６４％となる。しかし、熱接着剤を塗工エリアの全域に塗工した封止シールと比較しても、封止シール５の接着力が極端に弱くなることはなく、写真用ロールフイルムの封止シール５として充分な接着力を得ることができる。なお、塗工エリアの面積に対する熱接着剤のドットの総面積の割合としては、５５〜９３％の範囲内であれば、充分な接着力を得ることができ、かつ各ドットを独立して配置することができる。
【００２９】
図３に示すように、写真用ロールフイルム２の外周に貼付された封止シール５は、熱接着剤の各ドット１２によって遮光紙４の外周に接着される。熱接着剤のドット１２は、グラビア塗工版１７のセル２５によってそれぞれ形成されるため、その塗工面積及び塗工厚みは均一である。また、各ドット１２内で泳ぎ等の塗工面不良が発生することもない。そのため、各ドット１２の接着力も均一になるので、封止シール５の接着力は安定する。これにより、巻き緩みを発生させることなく、写真用ロールフイルム２の、遮光紙４及び写真フイルムを封止することができる。
【００３０】
なお、上記実施形態では、写真用ロールフイルムの封止シールを例に説明したが、本発明は、その他のシールにも適用することができる。また、熱接着剤の塗工だけではなく、その他の接着剤の塗工にも利用することができる。更に、グラビア塗工を用いて行なったが、シルクスクリーン印刷等、他の印刷方法を用いても行なうことができる。更に、接着剤のドットの大きさや塗工厚み、セルや土手の大きさ等は、上述したサイズに限定されるものではない。
【００３１】
【発明の効果】
以上説明したように、本発明によれば、接着剤をドット状に塗工したことにより、各ドットの接着力が均一になるため、シールの接着力を安定させることができる。また、接着剤をグラビア塗工する際の粘度や、土手の幅等を最適化させたため、接着剤のドットがつながらないように塗工することできる。更に、このシールを写真用ロールフイルムの封止シールに用いた場合には、安定した接着力によって写真フイルム及び遮光紙の巻き緩みを確実に防止することができる。
【図面の簡単な説明】
【図１】写真用ロールフイルムの外観斜視図である。
【図２】封止シールの平面図である。
【図３】写真用ロールフイルムの要部断面図である。
【図４】グラビア塗工装置の構成を示す概略図である。
【図５】グラビア塗工版のセル及び土手の寸法及び配置を示す説明図である。
【図６】グラビア塗工版の要部断面図である。
【図７】熱接着剤層が塗工された原紙の平面図である。
【図８】封止シールの要部断面図である。
【符号の説明】
２  写真用ロールフイルム
５  封止シール
７  支持体
８  熱接着剤層
１２  熱接着剤のドット
１５  グラビア塗工装置
１６  原紙
１７  グラビア塗工版
１９  熱接着剤溶液
２５  セル
２６  土手
【図１】
2005015736.tif 000003
【図２】
2005015736.tif 000004
【図３】
2005015736.tif 000005
【図４】
2005015736.tif 000006
【図５】
2005015736.tif 000007
【図６】
2005015736.tif 000008
【図７】
2005015736.tif 000009
【図８】
2005015736.tif 000010